(57)【要約】【課題】  本発明は、構造的強度を低下させることなく、重量を軽くすることができ、しかも、階段との取合いが行いやすく、汎用性に優れた踊り場を提供する。また、手摺の取付作業を簡単に行うことができる踊り場を提供する。【解決手段】  階段の途中に設けられ、上側の階段と下側の階段とを連結する踊り場１００であって、上側の階段と下側の階段との間に配設されたトラス構造体１０と、このトラス構造体１０に支持される床部１５と、を具備した。【選択図】      図６
2006028785.tif 000002
【特許請求の範囲】
【請求項１】
階段の途中に設けられ、上側の階段と下側の階段とを連結する踊り場であって、
前記上側の階段と前記下側の階段との間に配設されたトラス構造体と、
このトラス構造体に支持される床部と、
を具備したことを特徴とする踊り場。
【請求項２】
前記トラス構造体は、支柱により支持されていることを特徴とする請求項１に記載の踊り場。
【請求項３】
前記支柱の上部には、前記床部よりも小さく形成され、前記トラス構造体を支持する支持部材が設けられていることを特徴とする請求項２に記載の踊り場。
【請求項４】
前記トラス構造体は、互いに連結された複数条の上弦材と、隣り合う前記上弦材の中間の下方に位置する下弦材とをラチス材で互いに連結して構成されることを特徴とする請求項１から請求項３のいずれか１項に記載の踊り場。
【請求項５】
前記上弦材および前記下弦材には、節点部材が取り付けられ、
前記ラチス材は、前記節点部材に連結されていることを特徴とする請求項４に記載の踊り場。
【請求項６】
前記節点部材は柱状で、その外周面に連結溝が形成され、
前記ラチス材の両端には、接続端部が形成され、
さらに、前記連結溝および前記接続端部には、互いに係合する凹凸部が形成され、
前記接続端部を前記連結溝に嵌合することにより節点が形成されることを特徴とする請求項５に記載の踊り場。
【請求項７】
前記上弦材および前記下弦材は、それぞれ複数のフレーム材を前記節点部材により連結して構成されていることを特徴とする請求項５または請求項６に記載の踊り場。
【請求項８】
前記上弦材、下弦材およびラチス材の一種または全種が、アルミニウム合金製の押出形材からなることを特徴とする請求項４から請求項７のいずれか１項に記載の踊り場。
【請求項９】
前記フレーム材がアルミニウム合金製の押出形材からなることを特徴とする請求項７または請求項８に記載の踊り場。
【請求項１０】
前記トラス構造体と前記床部との間には、前記上弦材に沿う補強部材が介設され、この補強部材を介して前記トラス構造体に前記床部が取り付けられていることを特徴とする請求項４から請求項９のいずれか１項に記載の踊り場。
【請求項１１】
前記床部は、板材を複数枚連結することにより形成されてなることを特徴とする請求項１から請求項１０のいずれか１項に記載の踊り場。
【請求項１２】
前記補強部材は、前記複数枚連結された板材にわたって介設されていることを特徴とする請求項１１に記載の踊り場。
【請求項１３】
前記床部は中空部を有し、その中空部に挿入されて固定される固定部材を備え、
上部に笠木が設けられた手摺支柱を、前記固定部材を介して前記床部に立設したことを特徴とする請求項１から請求項１２のいずれか１項に記載の踊り場。
【請求項１４】
前記笠木は前記手摺支柱よりも内側に位置することを特徴とする請求項１３に記載の踊り場。
【請求項１５】
前記床部に前記上側の階段の下端部を固定するためのサポートシューが取り付けられていることを特徴とする請求項１から請求項１４のいずれか１項に記載の踊り場。
【請求項１６】
前記サポートシューは、前記固定部材を介して前記床部に固定されることを特徴とする請求項１５に記載の踊り場。
【請求項１７】
前記床部はアルミニウム合金製の押出形材から形成されていることを特徴とする請求項１から請求項１６のいずれか１項に記載の踊り場。
【発明の詳細な説明】
【技術分野】
【０００１】
本発明は、階段の途中等に設置される踊り場に関する。
【背景技術】
【０００２】
従来、住宅等の建物の内部又は外部に設置される階段としては、直階段、折れ階段、折返し階段等様々なものが提案されており、階段の途中等に踊り場が設けられたものもが一般的に知られている（例えば、特許文献１参照）。
【０００３】
このような踊り場は、階段昇降時の方向転換や昇降時の休憩、さらには、危険防止等の役割を備えており、上側の階段と下側の階段とに連結されて設けられている。
【特許文献１】特開平７−１８８０５号公報（段落０００８〜００１２、図１）
【発明の開示】
【発明が解決しようとする課題】
【０００４】
前記した従来の階段に設けられた踊り場は、強度をもたせるために高さ寸法のある複数のフレーム材を組み付けてユニット化された構造となっていた。このため、踊り場自体の重量が増加するという難点を有していた。
ところで、一般的に、建物に設置される階段は、建物の階高や階段勾配、階段の段数など、設置場所に応じた寸法仕様で製作される。このため、前記のようにユニット化された構造の踊り場では、階段との取合いがうまくいかないことがあり、汎用性が低いという問題があった。
また、前記のような踊り場に対する手摺の取り付けは、一般的に、溶接等によって行われていた。このため、手摺の取付作業が煩雑であるという問題があった。
【０００５】
そこで、本発明は、構造的強度を低下させることなく、重量を軽くすることができ、しかも、階段との取合いが行いやすく、汎用性に優れた踊り場を提供することを第１の課題とする。また、手摺の取付作業を簡単に行うことができる踊り場を提供することを第２の課題とする。
【課題を解決するための手段】
【０００６】
前記第１の課題を解決するため、本発明の踊り場は、階段の途中に設けられ、上側の階段と下側の階段とを連結する踊り場であって、前記上側の階段と前記下側の階段との間に配設されたトラス構造体と、このトラス構造体に支持される床部とを具備したことを特徴とする。
【０００７】
かかる踊り場によれば、上側の階段と下側の階段との間にトラス構造体を配設し、このトラス構造体で床部を支持することにより上側の階段と下側の階段との間に踊り場を構築することができる。このような踊り場は、ベースとなる部分がトラス構造体で構成されているので、ねじり剛性や曲げ剛性に強く、しかも、重量を軽くすることができる。
【０００８】
また、踊り場は、トラス構造体で構成されているので、トラス構造体を構成している部材の寸法や構成数を変更することにより、設置場所に応じた寸法仕様で製作される階段に柔軟に対応することができ、階段との取合いを良好に行うことができる。したがって、汎用性の高い踊り場が得られる。
【０００９】
さらに、トラス構造体により、軽やかで、開放感のある踊り場を構築することができ、室内の階段に適用した場合であっても、圧迫感を受けることがない。
【００１０】
また、前記トラス構造体は、支柱により支持されている構成とするのがよい。
かかる踊り場によれば、例えば、床面等に立設した支柱によってトラス構造体を支持することができるので、支持強度が確保されて安定性の高い踊り場が得られる。また、このように踊り場を支柱で支持することにより、踊り場に連結される上側の階段および下側の階段の支持強度も同時に高めることができ、階段全体の剛性を向上させることができるようになる。
【００１１】
さらに、前記支柱の上部には、前記床部よりも小さく形成され、前記トラス構造体を支持する支持部材が設けられている構成とするのがよい。
かかる踊り場によれば、トラス構造体を支持する支持部材が、床部よりも小さく形成されているので、トラス構造体は、床部を載置する側から支柱の上部側へ向けて、すぼまる形状、例えば、側面視で逆三角形状や逆台形状を呈する。したがって、外観に優れ、意匠的効果を発揮することが可能な踊り場が得られる。
【００１２】
また、前記トラス構造体は、互いに連結された複数条の上弦材と、隣り合う前記上弦材の中間の下方に位置する下弦材とをラチス材で互いに連結して構成するのがよい。
【００１３】
かかる踊り場によれば、下弦材が隣り合う上弦材の中間の下方に配置されるので、例えば、上弦材が三条であれば、下弦材が二条となり、立体的なトラス構造体を備えた踊り場を構築することができる。この場合、隣り合う上弦材同士が互いに連結されて一体になっているので、その結果として、トラス構造体のねじり剛性および左右方向の曲げ剛性をより高めることができるようになる。これにより、踊り場におけるねじれや横揺れが小さくなるという利点が得られる。また、踊り場おけるねじれや横揺れが小さくなるので、踊り場に連結される上側の階段および下側の階段のねじれや横揺れも小さくなり、剛性の向上された階段とすることができる。
【００１４】
さらに、前記上弦材および前記下弦材には、節点部材が取り付けられ、前記ラチス材は、前記節点部材に連結されている構成とするのがよい。
【００１５】
かかる踊り場によれば、上弦材および下弦材に取り付けられた節点部材にラチス材を連結することでトラス構造体を構築できる。また、上弦材、下弦材、ラチス材の寸法や構成数を変更することにより、設置場所に応じた寸法仕様で製作される階段に柔軟に対応することができる踊り場のトラス構造体を構築することができる。したがって、階段との取合いが良好な踊り場とすることができる。
【００１６】
さらに、前記節点部材は、柱状で、その外周面に連結溝が形成され、前記ラチス材の両端には、接続端部が形成され、さらに、前記連結溝および前記接続端部には、互いに係合する凹凸部が形成され、前記接続端部を前記連結溝に嵌合することにより節点が形成される構成とするのがよい。
【００１７】
かかる踊り場によれば、ラチス材の両端に形成された接続端部を、節点部材の外周面に形成された連結溝に嵌合することで、ラチス材と節点部材とが接合されるので、トラス構造体の構築が容易になる。また、接続端部および連結溝のそれぞれに形成された凹凸部が互いに噛み合うので、ラチス材がその軸線方向に移動することはない。
【００１８】
また、前記上弦材および前記下弦材は、それぞれ複数のフレーム材を前記節点部材により連結して構成される構成とするのがよい。
【００１９】
かかる踊り場によれば、上弦材および下弦材が複数のフレーム材を連結して構成されるので、連結するフレーム材の数を増減させることにより、容易にトラス構造体の大きさ（床部の縦横幅）を調節することができる。また、前記のように、上弦材、下弦材、ラチス材の寸法や構成数を変更するするとともに、フレーム材の寸法や構成数を変更することによって、階段の寸法仕様に、より一層柔軟に対応することができる踊り場が得られる。
【００２０】
また、前記上弦材、下弦材、ラチス材およびフレーム材の一種または全種が、アルミニウム合金製の押出形材からなる構成とするのがよい。
【００２１】
かかる踊り場によれば、強度の割に軽量で、腐食しにくいというアルミニウム合金のメリットを活かすことができる。すなわち、トラス構造体が軽量になるので、施工時の取り扱いが容易で、また、従来の木造住宅にも容易に適用できる。さらに、廃棄の際の取扱も容易になる。
【００２２】
さらに、前記トラス構造体と前記床部との間には、前記上弦材に沿う補強部材が介設され、この補強部材を介して前記トラス構造体に前記床部が取り付けられる構成とするのがよい。
【００２３】
かかる踊り場によれば、床部は補強部材を介してトラス構造体の上弦材に支持されることとなるので、床部が上弦材に対して直接支持される場合に比べて、床部の支持強度が高められた踊り場とすることができる。
【００２４】
また、前記床部は、板材を複数枚連結することにより形成されてなる構成とするのがよい。また、前記補強部材は、前記複数枚連結された板材にわたって介設されている構成とするのがよい。
【００２５】
かかる踊り場によれば、床部が板材を複数枚連結することにより形成されてなるので、取り扱いが行い易く、施工性がよいという利点が得られる。さらに、板材の枚数を変更することにより、床部の大きさを簡単に調節することができる。
また、補強部材が、複数枚連結された板材にわたって介設されているので、複数枚の板材をひとつの補強部材によって支持することも可能となる。したがって、シンプルで支持強度の高められた踊り場が得られる。
【００２６】
また、前記第２の課題を解決するため、前記床部は中空部を有し、その中空部に挿入されて固定される固定部材を備え、上部に笠木が設けられた手摺支柱を、前記固定部材を介して前記床部に立設した構成とするのがよい。
【００２７】
かかる踊り場によれば、床部の中空部に固定部材を挿入して固定するという簡単な取付手法により、上部に笠木が設けられた手摺支柱を、固定部材を介して床部に立設することができる。したがって、手摺支柱を取り付けるに際し、従来のような溶接等を用いた煩雑な作業を行う必要がなくなり、施工性に優れた踊り場が得られる。
【００２８】
さらに、前記笠木は前記手摺支柱よりも内側に位置する構成とするのがよい。
かかる踊り場によれば、笠木が手摺支柱よりも内側に位置するので、手摺全体が床部の側端面よりも内側に設置されることとなる。つまり、手摺が床部から外側にはみ出すことがなくなり、踊り場を設置するスペースの省スペース化を図ることができる。これにより、壁面ぎりぎりに階段を設置するなど、様々な建物の設置仕様に柔軟に対応できる踊り場が得られる。
【００２９】
また、前記床部に前記上側の階段の下端部を固定するためのサポートシューが取り付けられている構成とするのがよい。
【００３０】
かかる踊り場によれば、サポートシューを介して、床部に上側の階段の下端部を固定することができ、上側の階段との取合いがよく、施工性のよい踊り場が得られる。
【００３１】
さらに、前記サポートシューは、前記固定部材を介して前記床部に固定される構成とするのがよい。
かかる踊り場によれば、床部の中空部に挿入して固定された固定部材を介してサポートシューが固定されるので、簡単な取付手法によりサポートシューを床部に対して強固に固定することができる。これにより、上部の階段の取付強度が高められた踊り場が得られる。
【００３２】
さらに、前記床部はアルミニウム合金製の押出形材から形成されている構成とするのがよい。
かかる踊り場によれば、軽量化をより一層図ることのできるとともに、強度の割に軽量で、腐食しにくいというアルミニウム合金のメリットを活かした踊り場が得られる。また、施工時の取り扱いが容易で、また、従来の木造住宅にも容易に適用できるし、廃棄の際の取扱も容易になる。
【発明の効果】
【００３３】
本発明によれば、構造的強度を低下させることなく、重量を軽くすることができ、しかも、階段との取合いが行いやすく、汎用性に優れた踊り場が得られる。また、手摺の取付作業を簡単に行うことができる踊り場が得られる。
【発明を実施するための最良の形態】
【００３４】
以下、本発明の実施の形態を、添付した図面を参照しつつ詳細に説明する。
（全体構成）
まず、本発明に係る階段の全体構成を、図１から図５を参照して説明する。
ここで、図１は本発明の一実施の形態に係る踊り場が適用される階段の前方斜め上方から見た斜視図、図２は同じく踊り場が適用される階段の後方斜め上方から見た斜視図、図３は同じく踊り場が適用される階段の正面図、図４は同じく踊り場が適用される階段の側面、図５は同じく踊り場が適用される階段の平面図である。
【００３５】
図１から図５に示すように、本発明の一実施の形態に係る踊り場１００は、折れ階段に設置される踊り場であり、上側の階段２００と下側の階段３００との間に配置され、これら階段２００と階段３００とを連結するようになっている。踊り場１００は、トラス構造体１０と、このトラス構造体１０に支持された床部１５と、この床部１５に立設された手摺２０とを主要部として構成されている。また、上側の階段２００および下側の階段３００と踊り場１００との連結は、図３に示すように、サポートシューＳ２，Ｓ３を介して行われるようになっている。
本実施の形態では、踊り場１００のトラス構造体１０を構成する後記各部材、床部１５および手摺２０の構成部材がアルミニウム合金製の押出形材によりそれぞれ形成されている。
また、上側の階段２００および下側の階段３００のベースとなる部分もアルミニウム合金製の押出形材からなる部材を組み合わせてなる平面トラス構造体２１０（一部図示）で構成されている。
【００３６】
（トラス構造体）
次に、トラス構造体１０について、主として図６〜図１１を参照して説明する。
ここで、図６は本発明の一実施の形態に係る踊り場の分解斜視図、図７（ａ）は同じく踊り場の一部省略平面図、図７（ｂ）は同じく踊り場の一部省略側面図、図８は同じく踊り場の一部省略背面図、図９はトラス構造体の構成部品を示す図で、（ａ）はフレーム材および連結材を示す斜視図、（ｂ）は同じく平面図、（ｃ）はラチス材を示す斜視図、（ｄ）は同じく平面図である。また、図１０は節点部材を説明する斜視図、図１１は同じく平面図である。
【００３７】
トラス構造体は、図６および図７（ａ）（ｂ）に示すように、互いに平行な三条の上弦材１０Ａ，１０Ａ，１０Ａと、隣り合う上弦材１０Ａ，１０Ａの中間の下方に位置する下弦材１０Ｂ，１０Ｂと、隣り合う上弦材１０Ａ同士および隣り合う下弦材１０Ｂ同時をそれぞれ互いに連結する連結材３と、上弦材１０Ａと下弦材１０Ｂとを互いに連結するラチス材４とから構成される。
【００３８】
上弦材１０Ａ，１０Ａ，１０Ａは、節点部材たるハブ２Ａにより連結された複数のフレーム材１により構成され、下弦材１０Ｂ，１０Ｂは、両端にハブ２Ｂ，２Ｂが接続されたフレーム材１により構成されている。すなわち、各上弦材１０Ａは、複数のフレーム材１をその長手方向に連設することで構成されている。なお、下弦材１０Ｂは、１本のフレーム材１で構成したが、複数のフレーム材１をハブ２Ｂにより連結して構成してもよい。
【００３９】
なお、上弦材１０Ａを構成するハブ２Ａと下弦材１０Ｂを構成するハブ２Ｂは、同一の構成であるので、以下において説明が重複する場合には、適宜符号「２」を付して説明する。
【００４０】
フレーム材１は、断面円形のアルミニウム合金製の中空押出形材を加工したものであり、図９（ａ）（ｂ）に示すように、その両端に偏平状の接続端部１ａを有している。
【００４１】
フレーム材１の接続端部１ａは、中空押出形材の両端をプレス加工などにより押し潰すことにより形成され、後記するハブ２の接続溝２ａ（図１０参照）に嵌合可能である。また、接続端部１ａの先端には、図９（ｂ）に示すように、フレーム材１の軸線に直交する方向に凹凸部が形成されている。なお、接続端部１ａは、ハブ２の軸線方向に長い偏平状に形成されていることから（図１０参照）、ハブ２の軸線方向の外力に対しては、強度的に強いジョイント構造が形成される。
【００４２】
ハブ２は、図１０に示すように、円柱形状であり、ハブ２の外周面には複数の接続溝２ａ（縦溝）がハブ２の軸線方向に沿って形成され、ハブ２の端面には、その中心にボルト挿通孔２ｂが形成されている。また、ハブ２は、アルミニウム合金製の押出形材からなり、接続溝２ａおよびボルト挿通孔２ｂは、アルミニウム合金を押出成形する際に形成される。なお、ハブ２は、鋳造により製作してもよい。
【００４３】
ハブ２の接続溝２ａは、図１１に示すように、フレーム材１の接続端部１ａの先端部分と同一の断面形状で、接続端部１ａが嵌合可能である。また、接続溝２ａの内壁面には、接続端部１ａの凹凸部と係合する凹凸部が形成されている。なお、本実施形態では、８つの接続溝２ａが放射状に形成され、隣り合う接続溝２ａの中心角は４５度であるが、ハブ２の形状や接続溝２ａの個数などは、ハブ２に接続される部材の本数や角度に合わせて、適宜変更しても差し支えない。
【００４４】
また、図１０に示すように、接続溝２ａのうち、フレーム材１、連結材３（図７（ａ）（ｂ）参照）またはラチス材４が接続されないものには、接続溝２ａと同一の寸法・形状を有する溝埋部材２ｅを挿入する。また、本実施形態では、ハブ２の接続溝２ａの長さをラチス材４の接続端部４ａの長さ（幅）に合わせてあるので、例えば、フレーム材１をハブ２の下端まで挿入すると、その上方には隙間が生じる。この場合には、フレーム材１の接続端部１ａの上方に溝埋部材２ｆを挿入して、フレーム材１の接続位置がずれないようにする。
【００４５】
ハブ２にフレーム材１を接続する場合には、フレーム材１の接続端部１ａに形成された凹凸部をハブ２の上面側（あるいは下面側）から接続溝２ａに嵌合すればよい。このとき、溶接や特別な工具を必要としないので、施工性がよい。なお、接続溝２ａと接続端部１ａとの間に生じる微細な隙間を埋めるべく、接続溝２ａに接着剤などを流し込んでもよい。
【００４６】
フレーム材１の接続端部１ａをハブ２の接続溝２ａに嵌合させると、図１１に示すように、接続溝２ａと接続端部１ａの各々に形成した凹凸部が互いに係合するので、フレーム材１がその軸線方向に引き抜かれることがない。
【００４７】
また、下弦材１０Ｂを構成するハブ２Ｂの上下面には、図１０に示すように、フレーム材１およびラチス材４の抜け出しを防止するためのワッシャ２ｄが取り付けられる。ワッシャ２ｄは、ハブ２Ｂのボルト挿通孔２ｂに挿通される通しボルトＢ３とナットＮにより固定される。さらに、ハブ２Ｂの上下面には、ボルトＢ３およびナットＮを覆い隠すためのキャップ２ｃが取り付けられる。
一方、上弦材１０Ａを構成するハブ２Ａには、その上面に補強部材１６が取り付けられるので（図６参照）、下面のみにワッシャ２ｄおよびキャップ２ｃを取り付ける。
【００４８】
連結材３は、図９（ａ）（ｂ）に示すフレーム材１と同様に、アルミニウム合金製の中空押出形材を加工したものであり、その両端に偏平状の接続端部３ａを有している。また、接続端部３ａの先端には、フレーム材１の接続端部１ａと同一断面形状の凹凸部が形成され、ハブ２の接続溝２ａに嵌合可能である。
【００４９】
ラチス材４は、フレーム材１と同様に、アルミニウム合金製の中空押出形材を加工したものであり、図９（ｃ）（ｄ）に示すように、その両端に偏平状の接続端部４ａを有している。また、接続端部４ａの先端には、凹凸部が形成されているが、その方向は、ラチス材４の軸線に対して角度α（以下、コイン角αとする）をなす方向である。なお、接続端部４ａの断面形状は、フレーム材１の接続端部１ａの断面形状と同一であり、したがって、ハブ２の接続溝２ａに嵌合することができる。なお、この嵌合は、圧入をもって行うことも可能である。また、ラチス材４は、その軸線方向がハブ２の軸線方向に対してコイン角αだけ傾斜した状態でハブ２に接続される。
【００５０】
このような部材により構成されるトラス構造体１０の上面、すなわち、ハブ２Ａの上面には、図６に示すように、後記する床部１５を支持するための補強部材１６が設けられている。
補強部材１６は、図６，図８に示すように、側面視で凹状を呈しており、その上面に床部１５の後記する板材１５Ａを支持する支持面１６ａを有するとともに、溝１６ｂ内に前記ボルトＢ３を挿通するための挿通孔が形成されている。つまり、補強部材１６は、上弦材１０Ａを構成するハブ２Ａの上面にボルトＢ３で固定され、その支持面１６ａに板材１５Ａが支持されるようになっている。
【００５１】
なお、補強部材１６は、床部１５の前後方向にわたって配設することが好ましいが、複数の短尺材を連設して補強部材１６を構成してもよい。この場合、各短尺材は長手方向に隣り合う短尺材の端部同士をハブ２Ａ上で重複させることが好ましい。また、連続する二つのハブ２Ａ上で重複させることもできる。
【００５２】
また、トラス構造体１０の前面（下側の階段３００側）には、下側の階段３００の上端が連結される連結プレート１８が設けられている。
連結プレート１８は、トラス構造体１０の前面側（下側の階段３００側）を覆う（隠す）大きさおよび形状を備えている。これによって、下側の階段３００を昇降する際に、下側の階段３００側からトラス構造体１０が見えないようにされている。
【００５３】
図６に示すように、連結プレート１８のトラス構造体１０に対向する面には、トラス構造体１０の３つのハブ２Ａが当接されて固定される固定部材１７Ａ，１７Ｂ，１７Ａが設けられている。左右両脇の固定部材１７Ａは、連結プレート１８における取り付け部位の形状（切り欠かれた形状）に合わせて中央の固定部材１７Ｂよりも短く形成されている。各固定部材１７Ａ，１７Ｂ，１７Ａの上部には、ハブ２Ａの側面形状に対応した湾曲凹部を有するスペーサ部１７ａが設けられている。このスペーサ部１７ａには、前記フレーム材１の接続端部１ａと同一断面形状を有する図示しない凹凸部が形成されており、この凹凸部が各ハブ２Ａの凹凸部に嵌合することで、各固定部材１７Ａ，１７Ｂ，１７Ａは、がたつきのない状態でトラス構造体１０に固定されるようになっている。
【００５４】
また、連結プレート１８の下部左右には、側面視コ字形状の連結具１９，１９が設けられている。この連結具１９，１９は、二条の下弦材１０Ｂの延長上に位置しており、二条の下弦材１０Ｂの延長上に設けられたフレーム材１Ａのハブ２Ｂ’がそれぞれ連結固定されるようになっている。図６，図１２に示すように、連結具１９，１９へのハブ２Ｂ’の固定は、連結具１９を介してハブ２Ｂ’のボルト挿通孔２ｂに通しボルトＢ３を通し、ナットＮを螺合することにより行われる。つまり、連結プレート１８は、トラス構造体１０の前面側において、計５箇所のハブ２Ａ，２Ｂ’に対して固定されるようになっている。
【００５５】
このようなトラス構造体１０は、図６に示すように、階下Ｆ１から立設された支柱５によりに支持されるようになっている。支柱５は、角形に形成された中空状の柱であり、階下Ｆ１の図示しないアンカーに固定された固定部５ｂにボルトで固定されることにより立設されている。なお、支柱５は、角形に形成されたものに限られることはなく、丸形やその他の形状のものも採用し得る。
支柱５の上部には、後記する床部１５よりも小さく形成された角テーブル状の支持部材６がボルトにより固定されるようになっている。この支持部材６の上面には、対角方向に交差する補強用のリブ６ａが立設されている。リブ６ａの端部側方のコーナー部分には、トラス構造体１０の４つのハブ２Ｂに挿通された４つのボルトＢ３に対応する位置に挿通孔６ｃ，６ｃ，…が形成されており、この挿通孔６ｃ，６ｃ，…にボルトＢ３を挿通して、下方からナットＮ（不図示）を螺合することにより、トラス構造体１０は、支持部材６に固定されるようになっている。
【００５６】
また、支持部材６の下部には、支柱５の中空部５ａに挿入されてボルト固定される角形中空状（不図示）の挿入部６ｂが設けられている。
なお、本実施の形態では、トラス構造体１０を支柱５で支持するように構成したが、これに限られることはなく、壁面Ｗ側（図３参照）に図示しない支持構造を設け、壁面Ｗ側から片持ち支持するように構成してもよい。
【００５７】
（床部）
床部１５は、図６に示すように、アルミニウム合金製の中空押出形材からなり、本実施形態では、縦長の４枚の板材１５Ａ（長手方向に中空部１５Ｂを備えた押出形材）をその幅方向に連結することにより構成されている。図１３に示すように、板材１５Ａの短手方向の一端部１５ａには、突出部１５ｂが形成されており、また、この突出部１５ｂに対峙する板材１５Ａの他端部１５ｃには、段部１５ｄが形成されている。これにより、板材１５Ａの一端部１５ａの突出部１５ｂに、他の板材１５Ａの他端部１５ｃの段部１５ｄを重ね合わせることで、板材１５Ａ同士を繋ぎ合わせることができる。
【００５８】
本実施の形態では、図６に示すように、前記補強部材１６が４枚の板材１５Ａにわたる方向、すなわち、板材１５Ａの長手方向（押出方向）に直交する方向に配置され、複数本のボルトＢ４により固定されるようになっている。すなわち、４枚の板材１５Ａは、３つの補強部材１６によってそれぞれが支持されるようになっている。
【００５９】
なお、床部１５は、アルミニウム合金製の中空押出形材に構造用の合板を積層し、さらにフローリング材を積層してなる構造により構成してもよい。また、集成材等を用いて構成してもよい。
【００６０】
図１４は床部１５に取り付けられる手摺２０の取付構造を示した分解斜視図であり、本実施の形態では、板材１５Ａの中空部１５Ｂを利用して手摺２０が取り付けられるようになっている。したがって、図８に示すように、手摺２０の支柱が取り付けられる側となる板材１５Ａの後面側には、中空部１５Ｂを臨む開口部１５Ｃが切り欠かれて形成されている。また、図７（ｂ）に示すように、床部１５の側面側においては、各板材１５Ａの端部の開口部１５Ｄを利用して、手摺２０が取り付けられるようになっている。
【００６１】
手摺２０は、図１４に示すように、笠木２１と、この笠木２１を支持する手摺支柱２２と、この手摺支柱２２の下端に取り付けられた固定部材２３とを備えて構成されている。
【００６２】
笠木２１は、階段を昇降してきた人が手で握るための略円筒形状のアルミニウム合金製の中空押出形材であり、後記する上側の階段２００および下側の階段３００に設けられた手摺２０’の笠木２１’に連続した状態（図５参照）となるように設置されている。笠木２１の下面にはその軸線方向に沿って凹溝２１ａが形成されており、また、後記する笠木取付部材２４のねじ孔２４ａ，２４ａと対応する位置にねじ孔２１ｂ，２１ｂが形成されている。なお、笠木２１は木製の材料により形成してもよく、また、木製の材料とアルミニウム合金製の形材との組み合わせにより形成してもよい。
【００６３】
手摺支柱２２は、笠木２１を支持するための略角筒形状のアルミニウム合金製の中空押出形材である。手摺支柱２２の中空部２２ａは、断面略正方形状であり、この中空部２２ａの四隅部にそれぞれビスポケット２２ｂが形成されている。
【００６４】
手摺支柱２２の上部には、笠木取付部材２４が取り付けられるようなっており、この笠木取付部材２４は、手摺支柱２２の中空部２２ａに上方から挿入される脚部２４ｂと、脚部２４ｂが挿入されたときに手摺支柱２２の上面を塞ぐ、塞ぎ板部２４ｃと、塞ぎ板部２４ｃの上面から内側方向（踊り場１００の内側方向）に傾斜しつつ上方に立ち上がる板柱部２４ｄと、板柱部２４ｄの頂部に形成され、笠木２１の凹溝２１ａに嵌合する受け板部２４ｅとで構成されるアルミ鋳物部材である。
【００６５】
このような笠木取付部材２４の手摺支柱２２への取り付けは、笠木取付部材２４の脚部２４ｂを上から手摺支柱２２の中空部２２ａに挿入し、その後、塞ぎ板部２４ｃに形成されたねじ孔を通じて手摺支柱２２のビスポケット２２ｂ，２２ｂに、上からねじ２５，２５を螺入することによって行うことができる。また、笠木取付部材２４への笠木２１の取り付けは、笠木取付部材２４の受け板部２４ｅに笠木２１の凹溝２１ａを嵌合させた後、ねじ孔２４ａ，２４ａを通じてねじ孔２１ｂ，２１ｂに下からねじ７，７を螺入することによって行うことができる。
【００６６】
固定部材２３は、手摺支柱２２を床部１５の板材１５Ａに固定するためのプレート形状のアルミニウム合金製の部材であり、前記板材１５Ａに形成された開口部１５Ｃおよび開口部１５Ｄ（図１５参照）を通じて中空部１５Ｂに挿入される大きさに形成されている。本実施の形態では、固定部材２３が、中空部１５Ｂにきつく嵌まり込むように寸法が調整されている。
【００６７】
固定部材２３には、手摺支柱２２のビスポケット２２ｂ，２２ｂ，…と対応する位置に計４箇所のねじ孔２３ａ，２３ａ，…が形成されているとともに、角部となる４箇所にも、固定用のねじ孔２３ｂ，２３ｂ，…が形成されている。
このような固定部材２３が挿入される板材１５Ａ側には、固定部材２３が固定される位置に合わせて、手摺支柱２２の下端部が納まる四角形状の切欠き１５ｅが形成されている。また、板材１５Ａの底板１５Ｅには、固定部材２３のねじ孔２３ｂ，２３ｂ，…に対応する位置に、ねじ挿入孔１５ｆ，１５ｆ，…が形成されている。
【００６８】
なお、床部１５が前記したような集成板からなるような場合には、その側端部に、手摺支柱２２の下端部及び固定部材２３がちょうど納まる形状の図示しない切欠部を形成して、手摺支柱２２の下端部及び固定部材２３が納まるように構成する。
【００６９】
板材１５Ａへの固定部材２３の固定は、先に、固定部材２３のねじ孔２３ａ，２３ａ，…に手摺支柱２２のビスポケット２２ｂ，２２ｂ，…を位置合わせしておいて、下からネジ２３ｃ，２３ｃ，…をねじ込むことにより固定部材２３に手摺支柱２２を固定し、その後、手摺支柱２２の下端部及び固定部材２３を板材１５Ａの開口部１５Ｃから中空部１５Ｂに挿入し、下からねじ２３ｄ，２３ｄ，…をねじ挿入孔１５ｆ，１５ｆ，…からねじ孔２３ｂ，２３ｂ，…に螺入することにより行うことができる。
【００７０】
図１５は同じく板材１５Ａの側面側の開口部１５Ｄにおける手摺２０の取付構造を示した分解斜視図である。この手摺２０の取付構造では、固定部材２３Ａが、開口部１５Ｄにすっぽり入り込む幅広に形成されており、その分、固定部材２３Ａに対して２本の手摺支柱２２，２２を立設できるようにしてある。板材１５Ａの開口部１５Ｄには、手摺支柱２２，２２の間隔に合わせて、２つの切欠き１５ｅ，１５ｅが形成されており、前記した板材１５Ａの後部側における手摺２０の取付構造と同様に、手摺支柱２２，２２の下端部および固定部材２３Ａが板材１５Ａの中空部１５Ｂに納まるようになっている。
【００７１】
なお、固定部材２３Ａは、開口部１５Ｄから中空部１５Ｂに対してすっぽり挿入される大きさのものに限られることはなく、適宜の大きさに形成されたものを採用することができる。また、板材１５Ａ同士の隣接している部分である一端部１５ａと他端部１５ｃ（図１３参照）とを切り欠いて、隣り合う板材１５Ａの中空部１５Ｂ同士が連通するように形成し、これら隣り合う中空部１５Ｂにわたる大きさに固定部材２３Ａを形成しても良い。
【００７２】
（上側の階段および下側の階段）
図１６は本発明の踊り場１００に連結される上側の階段２００を示した斜視図、図１７は上側の階段２００の取合い構造を説明するための説明図、図１８は側壁と上側の階段との連結部分の分解斜視図、図１９は床部と上側の階段との連結部分の分解斜視図である。また、図２０は連結プレートと下側の階段との連結部分を示す拡大斜視図、図２１は下側の階段の構造を示す説明図である。図２２は下側の階段と床面との固定を示した図であり、（ａ）はサポートシューの拡大分解斜視図、（ｂ）は部分側面部である。なお、以下の説明では、前記したトラス構造体１０の構成部材と同様の構成部材は、同様の符号を付して説明する。
【００７３】
上側の階段２００および下側の階段３００は、基本的構成が同一であり、段数が異なる構造であるので、ここでは、図２１に示した下側の階段３００の説明図を参照しつつ、上側の階段２００について説明することにする。
上側の階段２００は、図１６，図１７に示すように、階段勾配で傾斜する左右一対の側桁たる平面トラス構造体２１０，２１０と、この平面トラス構造体２１０，２１０上に所定の間隔をあけて配設された複数の受け材２２０と、各受け材２２０に支持された踏板２３０とを備えて構成されている。また、本実施形態に係る平面トラス構造体２１０は、その上端に取り付けられたサポートシューＳ１を介して階上Ｆ２の階段取付部Ｆ２２に固定されており、下端に取り付けられたサポートシューＳ２を介して踊り場１００の床部１５上に固定されている。
【００７４】
平面トラス構造体２１０は、図２１に示すように、いわゆるワーレントラスであり、上弦材１０Ａ、下弦材１０Ｂおよびこれらを互いに連結する複数のラチス材４と、上弦材１０Ａに沿って配置された補強材２４０とを備えて構成されている。
【００７５】
また、平面トラス構造体２１０は、その側面（トラス面）が鉛直面となっている。言い換えると、左右の平面トラス構造体２１０，２１０は、その上辺（上弦材１０Ａ）同士の間隔と下辺（下弦材１０Ｂ）同士の間隔とが同一とされている。さらに、左右の平面トラス構造体２１０，２１０は、複数のフレーム状の連結材３（上弦連結材，下弦連結材）により連結されて一体にされている。
なお、平面トラス構造体２１０は、前記した構成に限られることはなく、その側面（トラス面）が鉛直面に対して所定の角度で傾斜するように構成し、上弦材１０Ａが下弦材１０Ｂよりも外側に位置するように設けてもよい。言い換えると、左右の平面トラス構造体２１０，２１０は、その側面が逆ハ字状に対向した状態に構成してもよく、その下辺（下弦材１０Ｂ）同士の間隔が、上辺（上弦材１０Ａ）同士の間隔よりも小さく構成されるようにしてもよい。このような、左右の平面トラス構造体２１０，２１０のハブ２，２同士を連結材３で連結すると、左右の平面トラス構造体２１０，２１０と連結材３とで階段の傾斜方向にみて逆台形状の構造体が形成されることとなり、ねじり方向の強度、左右方向の強度、曲げ方向の強度が向上された構造が構築される。
【００７６】
サポートシューＳ１は、図１８に示すように、階上Ｆ２の階段取付部Ｆ２２に固定されるベース部材５０Ａと、平面トラス構造体２１０（図１７参照）の上端に位置するハブ２Ａに固定されるジョイント部材５０Ｂとを備えて構成されている。また、ジョイント部材５０Ｂは、水平軸５０Ｃを介してベース部材５０Ａと連結されており、この水平軸５０Ｃを中心に回動可能である。なお、本実施形態に係る水平軸５０Ｃは、ボルトＢ５とナットＮとで構成されている。
【００７７】
ベース部材５０Ａは、アルミニウム合金製の押出形材を加工して形成され、図１８に示すように、階段取付部Ｆ２２に当接する板材からなる固定部５１と、この固定部５１の中央に突設された一対の板材からなる支持部５２とを備えている。また、固定部５１には、計４つの取付孔５１ａが穿設されており、支持部５２には、その略中央に挿通孔５２ａが穿設されている。なお、ベース部材５０Ａは、鋳造により形成してもよい。
【００７８】
ジョイント部材５０Ｂは、アルミニウム合金製の板材からなり、ベース部材５０Ａの支持部５２に連結される揺動部５５と、ハブ２の連結溝２ａに嵌合される偏平状の接続端部５５ａとを有する。揺動部５５は、ベース部材５０Ａの支持部５２を構成する一対の板材間に挿入可能な厚さに形成されており、その略中央部分には、水平軸５０Ｃを構成するボルトＢ５の軸部が挿通される挿通孔５５ｂが穿設されている。また、接続端部５５ａは、ハブ２の連結溝２ａ（図１０参照）の内壁に形成された凹凸部に係合する凹凸部が形成されている。すなわち、接続端部５５ａは、連結溝２ａと等しい断面形状に形成されている。
【００７９】
ベース部材５０Ａとジョイント部材５０Ｂとを連結するには、ベース部材５０Ａの支持部５２にジョイント部材５０Ｂの揺動部５５を挿入し、ベース部材５０Ａの支持部５２に形成された挿通孔５２ａとジョイント部材５０Ｂの揺動部５５に形成された挿通孔５５ｂの位置を合わせたうえで、支持部５２の挿通孔５２ａおよび揺動部５５の挿通孔５５ｂにボルトＢ５を挿通し、このボルトＢ５をナットＮで締結すればよい。ジョイント部材５０Ｂは水平軸５０Ｃを中心に回動自在である。
【００８０】
サポートシューＳ２は、図１９に示すように、床部１５の端部上面に固定されるベース部材６０Ａと、平面トラス構造体２１０（図１７参照）の下端に位置するハブ２Ａに固定されるジョイント部材５０Ｂとを備えて構成されている。ジョイント部材５０Ｂは、前記サポートシューＳ１で用いたものと同様である。
【００８１】
ベース部材６０Ａは、アルミニウム合金製の押出形材を加工して形成され、板材からなる固定部６１と、この固定部６１の中央に立設された一対の板材からなる支持部６２とを備えている。また、固定部６１には、２つの取付孔６１ａが穿設されており、支持部６２には、その略中央に挿通孔６２ａが穿設されている。なお、ベース部材６０Ａは、鋳造により形成してもよい。
【００８２】
ベース部材６０Ａは、板材１５Ａの中空部１５Ｂに挿入される板状の固定部材２３Ｂに２本のボルトＢ６およびナットＮにより固定されるようになっている。
【００８３】
ベース部材６０Ａとジョイント部材５０Ｂとを連結するには、ベース部材６０Ａの支持部６２にジョイント部材５０Ｂの揺動部５５を挿入し、ベース部材６０Ａの支持部６２に形成された挿通孔６２ａとジョイント部材５０Ｂの揺動部５５に形成された挿通孔５５ｂの位置を合わせたうえで、支持部６２の挿通孔６２ａおよび揺動部５５の挿通孔５５ｂにボルトＢ５を挿通し、このボルトＢ５をナットＮで締結すればよい。
【００８４】
下側の階段３００は、図２１に示すように、上側の階段２００より段数が多い分、平面トラス構造体２１０，２１０を構成している部品数が多くなっている点を除いて、上側の階段２００と基本的な構成が同様であるので、詳細な説明は省略する。下側の階段３００の上端部は、サポートシューＳ３を介して、前記した踊り場１００のトラス構造体１０の前面側に設けられた連結プレート１８に連結されている。このサポートシューＳ３は、前記したサポートシューＳ１と同様の構成となっている。すなわち、図２０に示すように、幾分縦長に形成されたベース部材５０Ａが連結プレート１８の前面にボルトＢ７とナットＮ（不図示）により固定されており、このベース部材５０Ａの支持部５２に、下側の階段３００の上端のハブ２Ａに取り付けられた揺動部５５が連結された構成となっている。
【００８５】
また、下側の階段３００の下端部と階下Ｆ１との連結は、図２１に示すように、サポートシューＳ４を介して行われている。このサポートシューＳ４は、図２２（ａ）に示すように、階下Ｆ１側の階段取付部Ｆ１１に固定されるアルミニウム合金製の押出形材からなるベース部材７０Ａと、平面トラス構造体２１０（図２１参照）の下端に位置するハブ２（ハブ２Ａ，２Ｂ）に固定される２又のジョイント部材７０Ｂとを備え、ジョイント部材７０Ｂが、水平軸７０Ｃを介してベース部材７０Ａの支持部７２に連結され、この水平軸７０Ｃを中心に回動可能となっている。なお、本実施形態に係る水平軸７０Ｃは、ボルトＢ４およびナットＮで構成され、支持部７２には、スペーサ７１が介設されている。また、ベース部材７０Ａは、鋳造により製作してもよい。
本実施の形態では、サポートシューＳ１〜Ｓ４がアルミニウム合金製の押出形材を切り出すことにより形成されている。
【００８６】
なお、上側の階段２００および下側の階段３００における手摺２０’は、前記した踊り場１００に設けられる手摺２０と同様の取付構造を用いて、踏板２３０に設けられている。すなわち、踏板２３０がアルミニウム合金製の中空押出形材から構成されている場合には、その中空部（不図示）を利用して固定部材２３（図１４参照）を固定し、これに手摺支柱２２を設けるという構造を採ることができる。
【００８７】
（踊り場の構築手順）
次に、本発明の踊り場１００の構築手順を図６から図８を参照して、また、適宜その他の図を参照して説明する。
【００８８】
まず、トラス構造体１０の構築手順について説明する。トラス構造体１０を構築するには、フレーム材１、連結材３およびラチス材４をハブ２Ａ，ハブ２Ｂにそれぞれ接続すればよい。
【００８９】
このときの構築手順をより詳細に説明すると、まず、下弦材１０Ｂを構成するハブ２Ｂに４本のラチス材４を９０度ピッチで接続する。このとき、ラチス材４の接続端部４ａがコイン角α（図９（ｄ）参照）をなしているので、ラチス材４はハブ２Ｂの軸線に対してαだけ傾斜した状態で接続される。このようなユニットを４つ組み立て、それらを前後左右に並べた後に、互いに隣接するハブ２Ｂ，２Ｂにフレーム材１および連結材３を順次接続し、さらに、隣接するラチス材４，４の上端同士をハブ２Ａで連結する。そして、軸方向に隣接するハブ２Ａ，２Ａにフレーム材１を接続して三条の上弦材１０Ａを構成するとともに、軸直角方向に隣接するハブ２Ａ，２Ａに連結材３を接続して、上弦材１０Ａ同士を互いに連結する。
【００９０】
このように組み立てると、下弦材１０Ｂが上弦材１０Ａ，１０Ａの中間の下方に位置することになり、したがって、トラス構造体１０を軸方向から観ると逆台形状になる（図８参照）。また、トラス構造体１０を側面視するとワーレントラス形状になる（図７（ｂ）参照）。
【００９１】
また、前記のように組み立てると、ハブ２Ａおよびハブ２Ｂは、結果としてその軸線がフレーム材１の軸線と直交する。言い換えれば、ハブ２Ａはその軸線が上弦材１０Ａと直交し、ハブ２Ｂはその軸線が下弦材１０Ｂと直交した状態となる。さらに、トラス構造体１０の前面側に位置するハブ２Ｂにフレーム材１Ａを取り付ける。
【００９２】
その後、図１０に示すように、下弦材１０Ｂのハブ２Ｂの上下面に、フレーム材１およびラチス材４の抜出しを防止するためのワッシャ２ｄを取り付け、通しボルトＢ３およびナットＮで固定する。さらに、キャップ２ｃで通しボルトＢ３およびナットＮを覆い隠す。
【００９３】
なお、トラス構造体１０の組立手順は、前記した手順に限らず、適宜変更可能である。
【００９４】
トラス構造体１０を構築したら、図６に示すように、板材１５Ａを繋ぎ合わせて床部１５を構築し、補強部材１６の支持面１６ａに載置するとともに、ボルトＢ４を用いてこれをトラス構造体１０に固定する。また、連結プレート１８をトラス構造体１０の前面側に固定する。さらに、床部１５に前記した要領で手摺２０を構築する。なお、手摺２０は、踊り場１００に上側の階段２００および下側の階段３００を連結した後に構築するようにしてもよい。
【００９５】
次に、支柱５の上部に設けられた支持部材６に、トラス構造体１０を載置し、ハブ２Ｂに挿通されたボルトＢ３とナットＮを用いてトラス構造体１０を固定する。これにより、階下Ｆ１に立設された支柱５の上部に支持部材６を介してトラス構造体１０を支持することができる。
【００９６】
次に、階下Ｆ１と踊り場１００の連結プレート１８との間および踊り場１００と階上Ｆ２との間に、側桁となる平面トラス構造体２１０，２１０をそれぞれ架設する（図１６，図２１参照）。この平面トラス構造体２１０，２１０の架設に際しては、予めサポートシューＳ１〜Ｓ４を各所定位置に対して設置しておくようにする。その後、平面トラス構造体２１０，２１０間に連結材３を架設し、受け材２２０、踏板２３０を固定する。さらに、手摺２０’を踏板２３０に取り付けて階段の構築が完了する。
【００９７】
なお、以上の手順では、踊り場１００を構築した後に、上側の階段２００および下側の階段３００を構築する例を示したが、このような組立手順に限定されることはなく、適宜変更しても差し支えない。
【００９８】
以上、本実施形態に係る踊り場１００によると、上側の階段２００と下側の階段３００との間にトラス構造体１０を配設し、このトラス構造体１０に床部１５を支持することにより上側の階段２００と下側の階段３００との間に踊り場１００を構築することができる。このような踊り場１００は、ベースとなる部分がトラス構造体１０で構成されているので、ねじり剛性や曲げ剛性に強く、しかも、重量を軽くすることができる。
【００９９】
また、踊り場１００は、トラス構造体１０で構成されているので、トラス構造体１０を構成している部材の寸法や構成数を変更することにより、設置場所に応じた寸法仕様で製作される階段に柔軟に対応することができ、階段との取合いを良好に行うことができる。したがって、汎用性の高い踊り場が得られる。
【０１００】
さらに、トラス構造体１０により、軽やかで、開放感のある踊り場１００を構築することができ、室内の階段はもとより室外の階段に適用した場合であっても、圧迫感を受けることがない。
【０１０１】
また、トラス構造体１０は、支柱５により支持されるようになっているので、支持強度が確保され、安定性の高い踊り場１００が得られる。また、このように踊り場１００を支柱５で支持することにより、踊り場１００に連結される上側の階段２００および下側の階段３００の支持強度も同時に高めることができ、階段全体の剛性を向上させることができるようになる。
【０１０２】
さらに、支柱５の上部には、床部１５よりも小さく形成され、トラス構造体１０を支持する支持部材６が設けられているので、トラス構造体１０は、床部１５を載置する側から支柱５の上部側へ向けて、すぼまる形状（逆台形状）を呈する。したがって、外観に優れ、意匠的効果を発揮することが可能な踊り場１００が得られる。
【０１０３】
また、トラス構造体１０は、互いに連結された複数条の上弦材１０Ａと、隣り合う上弦材１０Ａの中間の下方に位置する下弦材１０Ｂとをラチス材４で互いに連結したので、本実施の形態のように、上弦材１０Ａが三条であれば、下弦材１０Ｂが二条となり、立体的なトラス構造体１０を備えた踊り場１００を構築することができる。この場合、隣り合う上弦材１０Ａ同士が互いに連結されて一体になっているので、その結果として、トラス構造体１０のねじり剛性および左右方向の曲げ剛性をより高めることができるようになる。これにより、踊り場１００におけるねじれや横揺れが小さくなるという利点が得られる。また、踊り場１００におけるねじれや横揺れが小さくなるので、踊り場１００に連結される上側の階段２００および下側の階段３００のねじれや横揺れも小さくなり、剛性の向上された階段を構築することができる。
【０１０４】
さらに、上弦材１０Ａおよび下弦材１０Ｂにハブ２を取り付け、これにラチス材４を連結する構成としたので、トラス構造体１０を簡単に構築することができるとともに、上弦材１０Ａ、下弦材１０Ｂ、ラチス材４の寸法や構成数を変更することにより、設置場所に応じた寸法仕様で製作される階段に柔軟に対応することができる踊り場１００のトラス構造体１０を構築することができる。したがって、階段との取合いが良好な踊り場１００とすることができる。
【０１０５】
さらに、ラチス材４の両端に形成された接続端部４ａを、ハブ２の外周面に形成された連結溝２ａに嵌合することで、ラチス材４とハブ２とが接合されるので、トラス構造体１０の構築が容易になる。また、接続端部４ａおよび連結溝３それぞれに形成された凹凸部が互いに噛み合うので、ラチス材４がその軸線方向に移動することが防止される。
【０１０６】
また、上弦材１０Ａおよび下弦材１０Ｂは、それぞれ複数のフレーム材１をハブ２により連結して構成されるので、連結するフレーム材１の数を増減させることにより、容易にトラス構造体１０の大きさ（床部１５の縦横幅）を調節することができる。また、前記のように、上弦材１０Ａ、下弦材１０Ｂ、ラチス材４の寸法や構成数を変更するするとともに、フレーム材１の寸法や構成数を変更することによって、階段の寸法仕様に、より一層柔軟に対応することができる踊り場１００が得られる。
【０１０７】
また、上弦材１０Ａ、下弦材１０Ｂ、ラチス材４およびフレーム材１の一種または全種が、アルミニウム合金製の押出形材からなる構成とするのがよい。
【０１０８】
かかる踊り場によれば、強度の割に軽量で、腐食しにくいというアルミニウム合金のメリットを活かすことができる。すなわち、トラス構造体が軽量になるので、施工時の取り扱いが容易で、また、従来の木造住宅にも容易に適用できる。さらに、廃棄の際の取扱も容易になる。
【０１０９】
さらに、床部１５は補強部材１６を介してトラス構造体１０の上弦材１０Ａに支持されることとなるので、床部１５が上弦材１０Ａに対して直接支持される場合に比べて、床部１５の支持強度が高められた踊り場１００とすることができる。
【０１１０】
また、床部１５は、板材１５Ａを４枚連結することにより形成されてなるので、取り扱いが行い易く、施工性がよいという利点が得られる。さらに、板材１５Ａの枚数を変更することにより、床部１５の大きさを簡単に調節することができる。
また、補強部材１６が、４枚連結された板材１５Ａにわたって介設されているので、４枚の板材１５Ａをひとつの補強部材１６によって支持することも可能となる。したがって、シンプルで支持強度の高められた踊り場１００が得られる。
【０１１１】
また、床部１５に対して手摺２０を構築する際には、床部１５の中空部１５Ｂに固定部材２３，２３Ａを挿入することにより行うことができるので、手摺支柱２２を取り付けるに際し、従来のような溶接等を用いた煩雑な作業を行う必要がなくなり、施工性に優れた踊り場が得られる。さらに、中空部１５Ｂに固定部材２３，２３Ａが配置されることによって、固定部分における強度の向上を図ることもできる。
【０１１２】
さらに、固定部材２３，２３Ａは床部１５の中空部１５Ｂにぴったり納まって床部１５の上面に露出しないので、すっきりと見栄えがよいという利点も得られる。
【０１１３】
さらに、笠木２１は手摺支柱２２よりも内側に位置するので、手摺２０の全体が床部１５の側端面よりも内側に設置されることとなる。つまり、手摺２０が床部１５から外側にはみ出すことがなくなり、踊り場１００を設置するスペースの省スペース化を図ることができる。これにより、壁面Ｗぎりぎりに階段を設置するなど、様々な建物の設置仕様に柔軟に対応できる踊り場１００が得られる。
【０１１４】
また、床部１５に上側の階段２００の下端部を固定するためのサポートシューＳ２が取り付けられているので、上側の階段２００と床部１５との取合いがよく、施工性のよい踊り場が得られる。
【０１１５】
さらに、サポートシューＳ２は、固定部材２３Ｂを介して床部１５に固定されるので、簡単な取付手法によりサポートシューＳ２を床部１５に対して強固に固定することができる。これにより、上側の階段２００の取付強度が高められた踊り場１００が得られる。
【０１１６】
さらに、床部１５はアルミニウム合金製の押出形材から形成されているので、軽量化をより一層図ることのできるとともに、強度の割に軽量で、腐食しにくいというアルミニウム合金のメリットを活かした踊り場１００が得られる。また、施工時の取り扱いが容易で、また、従来の木造住宅にも容易に適用できるし、廃棄の際の取扱も容易になる。
【０１１７】
以上、本発明の実施形態について説明したが、本発明は、前記した各実施形態に限定されるものではなく、適宜変更して実施することができる。
例えば、図２３に示すように、手摺２０の固定部材２３Ｂを長尺に形成し、３本以上の手摺支柱２２を同時に支持して固定することができるように構成してもよい。このように構成した踊り場１００によれば、固定部材２３Ｂに３本以上の手摺支柱２２を同時に固定することができるので、組立性に優れているという利点が得られる。
【図面の簡単な説明】
【０１１８】
【図１】本発明の一実施の形態に係る踊り場が適用された階段の前方斜め上方から見た斜視図である。
【図２】同じく踊り場が適用された階段の後方斜め上方から見た斜視図である。
【図３】同じく踊り場が適用された階段の正面図である。
【図４】同じく踊り場が適用された階段の側面図である。
【図５】同じく踊り場が適用される階段の平面図である。
【図６】本発明の一実施の形態に係る踊り場の分解斜視図である。
【図７】（ａ）は同じく踊り場の一部省略平面図、（ｂ）は同じく踊り場の一部省略側面図である。
【図８】同じく踊り場の一部省略背面図である。
【図９】トラス構造体の構成部品を示す図で、（ａ）はフレーム材および連結材を示す斜視図、（ｂ）は同じく平面図、（ｃ）はラチス材を示す斜視図、（ｄ）は同じく平面図である。
【図１０】節点部材を説明する斜視図である。
【図１１】同じく平面図である。
【図１２】トラス構造体の前面側に設けられた連結プレートの取付構造を示す拡大斜視図である。
【図１３】床部を構成する板材の連結部分を示した拡大側面図である。
【図１４】手摺の取付構造を示した分解斜視図である。
【図１５】同じく手摺の取付構造を示した分解斜視図である。
【図１６】本発明の踊り場に連結される上側の階段を示した斜視図である。
【図１７】上側の階段の取合い構造を説明するための説明図である。
【図１８】床部と上側の階段との連結部分の分解斜視図である。
【図１９】側壁と上側の階段との連結部分の分解斜視図である。
【図２０】連結プレートと下側の階段との連結部分を示す拡大斜視図である。
【図２１】下側の階段の構造を示す説明図である。
【図２２】下側の階段と床面との固定を示した図であり、（ａ）はサポートシューの拡大分解斜視図、（ｂ）は部分側面部である。
【図２３】手摺の取付構造の変形例を示した分解斜視図である。
【符号の説明】
【０１１９】
１      フレーム材
１Ａ    フレーム材
１ａ    接続端部
２Ａ    ハブ（節点部材）
２Ｂ    ハブ（節点部材）
３      連結材
４      ラチス材
４ａ    接続端部
５      支柱
６      支持部材
１０    トラス構造体
１０Ａ  上弦材
１０Ｂ  下弦材
１５    床部
１５Ａ  板材
１５Ｂ  中空部
１５Ｃ  開口部
１５Ｄ  開口部
１８    連結プレート
２０    手摺
２１    笠木
２２    手摺支柱
２３    固定部材
２３Ａ  固定部材
１００  踊り場
２００  上側の階段
２１０  平面トラス構造体
３００  下側の階段
Ｓ１〜Ｓ４    サポートシュー
【図１】
2006028785.tif 000003
【図２】
2006028785.tif 000004
【図３】
2006028785.tif 000005
【図４】
2006028785.tif 000006
【図５】
2006028785.tif 000007
【図６】
2006028785.tif 000008
【図７】
2006028785.tif 000009
【図８】
2006028785.tif 000010
【図９】
2006028785.tif 000011
【図１０】
2006028785.tif 000012
【図１１】
2006028785.tif 000013
【図１２】
2006028785.tif 000014
【図１３】
2006028785.tif 000015
【図１４】
2006028785.tif 000016
【図１５】
2006028785.tif 000017
【図１６】
2006028785.tif 000018
【図１７】
2006028785.tif 000019
【図１８】
2006028785.tif 000020
【図１９】
2006028785.tif 000021
【図２０】
2006028785.tif 000022
【図２１】
2006028785.tif 000023
【図２２】
2006028785.tif 000024
【図２３】
2006028785.tif 000025